(57)【要約】【課題】温度調整装置の状態を当該温度調整装置自身が検出し、この検出された情報を管理センタ側で一括して管理することで、温度調整装置の巡回保守作業が軽減される電気機器の監視制御システム及び監視制御方法を提供する。【解決手段】制御装置２１によって、集中管理センタ１０からの温度調整装置２３の制御命令が受信され、この制御命令に基づいて温度調整装置の設定温度が変更され、当該温度調整装置２３が前記設定温度に達するまでの消費電力と到達時間の情報とを受け取り、前記集中管理センタ１０に送信し、この集中管理センタ１０は、前記消費電力または到達時間の情報が所定の閾値に達すると前記温度調整装置２３のメンテナンスが必要とする。【選択図】    図１
2004192252.tif 000002
【特許請求の範囲】
【請求項１】
建家に設けられた電気機器と、
前記建家に設けられた前記電気機器を制御する制御装置と、
この制御装置が保持する情報を通信網を介して共有する管理サーバと、
を備えた電気機器の監視制御システム。
【請求項２】
請求項１に記載の電気機器の監視制御システムにおいて、前記電気機器は、当該電気機器の温度を検出する温度検出手段を有することを特徴とする電気機器の監視制御システム。
【請求項３】
請求項１に記載の電気機器の監視制御システムにおいて、前記電気機器は、当該電気機器の消費電力を検出する消費電力検出手段を有することを特徴とする電気機器の監視制御システム。
【請求項４】
請求項１に記載の電気機器の監視制御システムにおいて、前記管理サーバは、前記電気機器の前記温度検出手段で検出された温度の情報及び前記消費電力検出手段で検出された消費電力の情報から前記電気機器のメンテナンスの必要の有無を判定し、前記メンテナンスが実行されたメンテナンス情報を管理することを特徴とする電気機器の監視制御システム。
【請求項５】
消費電力検出手段及び温度検出手段を備えた複数の電気装置と、これらの電気装置のそれぞれに接続された複数の制御装置と、これらの制御装置を管理するホストコンピュータ装置と、このホストコンピュータ装置と前記複数の制御装置との間を通信回線により接続して通信を可能にする通信網とを具備した電気機器の監視制御システムであって、
前記制御装置は、
前記ホストコンピュータ装置からの前記電気装置の制御命令を受信する受信手段と、この制御命令に基づいて前記電気装置の設定温度を変更する命令実行手段と、
前記消費電力検出手段から受け取った前記電気装置が前記設定温度に達するまでの消費電力の情報と、前記温度検出手段から受け取った前記電気装置が前記設定温度に達するまでの到達時間の情報とを記憶する第１の情報記憶手段と、
前記第１の情報記憶手段に記憶された前記消費電力及び到達時間の情報を前記ホストコンピュータ装置に送信する情報送信手段とを備え、
前記ホストコンピュータ装置は、
前記制御装置に前記電気装置の制御命令を送信する命令送信手段と、
前記制御装置から前記消費電力及び到達時間の情報を受信し、記憶する第２の情報記憶手段と、
前記第２の情報記憶手段により記憶された前記消費電力または到達時間の情報が所定の閾値に達すると前記電気装置のメンテナンスが必要とするメンテナンス時期検証手段と
を備えることを特徴とする電気機器の監視制御システム。
【請求項６】
消費電力検出手段を備えた複数の電気装置と、これらの電気装置のそれぞれに接続された複数の制御装置と、これらの制御装置を管理するホストコンピュータ装置と、このホストコンピュータ装置と前記複数の制御装置との間を通信回線により接続して通信を可能にする通信網とを具備した電気機器の監視制御システムであって、
前記制御装置は、
前記ホストコンピュータ装置からの前記電気装置の制御命令を受信する受信手段と、この制御命令に基づいて前記電気装置の設定温度を変更する命令実行手段と、
前記消費電力検出手段から受け取った前記電気装置が前記設定温度に達するまでの消費電力の情報を受け取り、記憶する第１の情報記憶手段と、
前記第１の情報記憶手段に記憶された前記消費電力の情報を前記ホストコンピュータ装置に送信する情報送信手段とを備え、
前記ホストコンピュータ装置は、
前記制御装置に前記電気装置の制御命令を送信する命令送信手段と、
前記制御装置から前記消費電力の情報を受信し、記憶する第２の情報記憶手段と、
前記第２の情報記憶手段により記憶された前記消費電力の情報が所定の閾値に達すると前記電気装置のメンテナンスが必要とするメンテナンス時期検証手段と
を備えることを特徴とする電気機器の監視制御システム。
【請求項７】
温度検出手段を備えた複数の電気装置と、これらの電気装置のそれぞれに接続された複数の制御装置と、これらの制御装置を管理するホストコンピュータ装置と、このホストコンピュータ装置と前記複数の制御装置との間を通信回線により接続して通信を可能にする通信網とを具備した電気機器の監視制御システムであって、
前記制御装置は、
前記ホストコンピュータ装置からの前記電気装置の制御命令を受信する受信手段と、この制御命令に基づいて前記電気装置の設定温度を変更する命令実行手段と、
前記温度検出手段から受け取った前記電気装置が前記設定温度に達するまでの到達時間の情報を受け取り、記憶する第１の情報記憶手段と、
前記第１の情報記憶手段に記憶された前記到達時間の情報を前記ホストコンピュータ装置に送信する情報送信手段とを備え、
前記ホストコンピュータ装置は、
前記制御装置に前記電気装置の制御命令を送信する命令送信手段と、
前記制御装置から前記到達時間の情報を受信し、記憶する第２の情報記憶手段と、
前記第２の情報記憶手段により記憶された前記到達時間の情報が所定の閾値に達すると前記電気装置のメンテナンスが必要とするメンテナンス時期検証手段と
を備えることを特徴とする電気機器の監視制御システム。
【請求項８】
前記請求項５乃至７のいずれかの電気機器の監視制御システムにおいて、
前記メンテナンス時期検証手段によってメンテナンスが必要とされ、前記電気装置のメンテナンスが行われた後、再度前記メンテナンス時期検証手段によってメンテナンスが必要とされるまでの期間が所定の閾値に達すると、前記電気装置の寿命とする寿命検証手段をさらに備えることを特徴とする電気機器の監視制御システム。
【請求項９】
前記請求項５乃至７のいずれかの電気機器の監視制御システムにおいて、
前記電気装置が前記設定温度に達するまでの到達時間の情報が所定の閾値に達すると、前記電気装置の寿命とする寿命検証手段をさらに備えることを特徴とする電気機器の監視制御システム。
【請求項１０】
前記請求項５乃至７のいずれかの電気機器の監視制御システムにおいて、
前記メンテナンス時期検証手段によってメンテナンスが必要とされ、前記電気装置のメンテナンスが行われた後、再度前記メンテナンス時期検証手段によってメンテナンスが必要とされるまでの期間、または前記電気装置が前記設定温度に達するまでの到達時間の情報が所定の閾値に達すると、前記電気装置の寿命とする寿命検証手段をさらに備えることを特徴とする電気機器の監視制御システム。
【請求項１１】
前記請求項５乃至１０のいずれかの電気機器の監視制御システムにおいて、
前記メンテナンス時期検証手段または寿命検証手段は、前記消費電力検出手段から受け取った１日の消費電力の変化情報と、前記温度検出手段から受け取った１日の温度変化の情報とに基づいて、前記消費電力及び温度の変化が最も少ない時間帯に検証を行うことを特徴とする電気機器の監視制御システム。
【請求項１２】
前記請求項５乃至１０のいずれかの電気機器の監視制御システムにおいて、
前記メンテナンス時期検証手段または寿命検証手段は、前記メンテナンス時期検証手段または寿命検証手段は、前記電気装置の初期性能、温度調整空間の容量及び外部からの熱負荷の変動に基づいて検証することを特徴とする電気機器の監視制御システム。
【請求項１３】
消費電力検出手段及び温度検出手段を備えた複数の電気装置と、これらの電気装置のそれぞれに接続された複数の制御装置と、これらの制御装置を管理するホストコンピュータ装置と、このホストコンピュータ装置と前記複数の制御装置との間を通信回線により接続して通信を可能にする通信網とを具備した電気機器の監視制御システムを用いた電気機器の監視制御方法であって、
前記ホストコンピュータ装置が、前記制御装置に前記電気装置の制御命令を送信する命令送信ステップと、
前記制御装置が、前記制御命令を受信する受信ステップと、
前記制御装置が、前記制御命令に基づいて前記電気装置の設定温度を変更する命令実行ステップと、
前記制御装置が、前記消費電力検出手段から受け取った前記電気装置が前記設定温度に達するまでの消費電力の情報と、前記温度検出手段から受け取った前記電気装置が前記設定温度に達するまでの到達時間の情報とを記憶する第１の情報記憶ステップと、
前記制御装置が、前記第１の情報記憶手段に記憶された前記消費電力及び到達時間の情報を前記ホストコンピュータ装置に送信する情報送信ステップと、
前記ホストコンピュータ装置が、前記消費電力及び到達時間の情報を受信し、記憶する第２の情報記憶ステップと、
前記ホストコンピュータ装置が、前記第２の情報記憶手段により記憶された前記消費電力または到達時間の情報が所定の閾値に達すると前記電気装置のメンテナンスが必要とするメンテナンス時期検証ステップと、
を備えることを特徴とする電気機器の監視制御方法。
【請求項１４】
建家に設けられた電気機器と、前記建家に設けられた前記電気機器を制御する制御装置と、この制御装置が保持する情報を通信網を介して共有する管理サーバとを備えた電気機器の監視制御システムを用いた電気機器の監視制御方法であって、
前記管理サーバは、前記制御装置に前記電気機器の設定温度を変更する指示を送信し、前記温度検出手段で検出された温度変化の推移情報及び前記消費電力検出手段で検出された消費電力の変化の推移情報を受信し、受信したこれらの推移情報と、当該管理サーバで保持している予め設定された前記電気機器の温度及び消費電力の情報の期待値とを比較し、前記推移情報と前記期待値との相違度合いから前記電気機器の性能を判定することを特徴とする電気機器の監視制御方法。
【請求項１５】
建家に設けられた電気機器と、前記建家に設けられた前記電気機器を制御する制御装置と、この制御装置が保持する情報を通信網を介して共有する管理サーバとを備えた電気機器の監視制御システムを用いた電気機器の監視制御方法であって、
前記管理サーバは、前記制御装置に前記電気機器の設定温度を変更する指示を送信し、前記温度検出手段で検出された温度変化の推移情報及び前記消費電力検出手段で検出された消費電力の変化の推移情報を受信し、受信したこれらの推移情報と前記メンテナンス情報とを比較し、前記電気機器の寿命を判定することを特徴とする電気機器の監視制御方法。
【発明の詳細な説明】
【０００１】
【発明の属する技術分野】
この発明は、例えば建物内に設置された温度調整装置の制御、監視に係り、特に温度調整装置のメンテナンスや取り替え時期の情報を当該温度調整装置自身が収集し、送信する電気機器の監視制御システム及び監視制御方法に関する。
【０００２】
【従来の技術】
近年、事務所や店舗等の建物に設置されている温度調整装置は、省エネルギーと居住者の温熱感覚を快適に保つこととを両立することを目的とした制御、監視システムが求められつつある。このようなシステムにおいては、例えば外気温、日射量、居住者人数といった要素から、熱負荷、室温変化、壁の温度変化を予想した上で最適な省エネルギー制御を実施する等、これまで以上にきめ細かな監視、制御システムが必要とされている。また１つの建家内に配置された温度調整装置を一括して管理するシステムも提案されている（例えば、特許文献１、２を参照）。
【０００３】
【特許文献１】
特開２００１−３０７２５０公報（第４−５頁、第１図）。
【０００４】
【特許文献２】
特開２００１−１３３１０２公報（第３−４頁、第１図）。
【０００５】
【発明が解決しようとする課題】
このようなシステムでは、温度調整装置自身の性能が省エネルギーと居住者の快適性に大きく影響するが、一般に温度調整装置、例えば空調機等において、フィルターの目詰まり等による性能の劣化や、空調能力と負荷のアンバランスが発生した等により、設定温度に達するまでに要する時間が多少長くなったり、消費電力が増加する等の状況が発生しても、空調機の全体のシステムとして認識できないことが多い。このような状態であると、省エネルギー効果や居住者の快適性を提供することが困難となるため、これらの問題に対応するために保守要員等による定期的な巡回、検診等による作業が必要となり、維持費としての負担が多きいという問題がある。また１つの建家内に配置された温度調整装置を一括して管理するシステムでは、複数の建家内に配置されている空調機等を一括管理することができない。
【０００６】
この発明は上記事情に着目してなされたもので、その目的とするところは、異なる建家内に設置された温度調整装置の状態を当該温度調整装置自身が検出し、この検出された情報を管理センタ側で一括して管理することで、温度調整装置の巡回保守作業の作業量を図ることができる電気機器の監視制御システム及び監視制御方法を提供することにある。
【０００７】
【課題を解決するための手段】
上記目的を達成するためにこの発明は、建家に設けられた電気機器と、前記建家に設けられた前記電気機器を制御する制御装置と、この制御装置が保持する情報を通信網を介して共有する管理サーバとを備えた電気機器の監視制御システムとしたものである。
【０００８】
また、前記電気機器が当該電気機器の温度を検出する温度検出手段を有することを特徴とする電気機器の監視制御システムとしたものである。
【０００９】
さらに、前記電気機器が当該電気機器の消費電力を検出する消費電力検出手段を有することを特徴とする電気機器の監視制御システムとしたものである。
【００１０】
また、前記管理サーバが、前記電気機器の前記温度検出手段で検出された温度の情報及び前記消費電力検出手段で検出された消費電力の情報から前記電気機器のメンテナンスの必要の有無を判定し、前記メンテナンスが実行されたメンテナンス情報を管理することを特徴とする電気機器の監視制御システムとしたものである。
【００１１】
また、本発明は、消費電力検出手段及び温度検出手段を備えた複数の電気装置と、これらの電気装置のそれぞれに接続された複数の制御装置と、これらの制御装置を管理するホストコンピュータ装置と、このホストコンピュータ装置と前記複数の制御装置との間を通信回線により接続して通信を可能にする通信網とを具備した電気機器の監視制御システムであって、前記制御装置は、前記ホストコンピュータ装置からの前記電気装置の制御命令を受信する受信手段と、この制御命令に基づいて前記電気装置の設定温度を変更する命令実行手段と、前記消費電力検出手段から受け取った前記電気装置が前記設定温度に達するまでの消費電力の情報と、前記温度検出手段から受け取った前記電気装置が前記設定温度に達するまでの到達時間の情報とを記憶する第１の情報記憶手段と、記第１の情報記憶手段に記憶された前記消費電力及び到達時間の情報を前記ホストコンピュータ装置に送信する情報送信手段とを備え、前記ホストコンピュータ装置は、前記制御装置に前記電気装置の制御命令を送信する命令送信手段と、前記制御装置から前記消費電力及び到達時間の情報を受信し、記憶する第２の情報記憶手段と、前記第２の情報記憶手段により記憶された前記消費電力または到達時間の情報が所定の閾値に達すると前記電気装置のメンテナンスが必要とするメンテナンス時期検証手段とを備えることを特徴とする電気機器の監視制御システムとしたものである。
【００１２】
即ち、制御装置によって、ホストコンピュータ装置からの電気装置の制御命令が受信され、この制御命令に基づいて電気装置の設定温度が変更される。そして前記電気装置が前記設定温度に達するまでの消費電力と到達時間の情報とを受け取り、前記ホストコンピュータ装置に送信する。前記ホストコンピュータ装置は、前記消費電力または到達時間の情報が所定の閾値に達すると前記電気装置のメンテナンスが必要とする。
【００１３】
従って、異なる建家内に設置された温度調整装置の状態を当該温度調整装置自身が検出し、この検出された情報をホストコンピュータ装置が設置されている管理センタ側で一括して管理することで、温度調整装置の巡回保守作業の作業量の負荷を軽減することができる。
【００１４】
さらに本発明は、消費電力検出手段を備えた複数の電気装置と、これらの電気装置のそれぞれに接続された複数の制御装置と、これらの制御装置を管理するホストコンピュータ装置と、このホストコンピュータ装置と前記複数の制御装置との間を通信回線により接続して通信を可能にする通信網とを具備した電気機器の監視制御システムであって、前記制御装置は、前記ホストコンピュータ装置からの前記電気装置の制御命令を受信する受信手段と、この制御命令に基づいて前記電気装置の設定温度を変更する命令実行手段と、前記消費電力検出手段から受け取った情報に基づいて前記電気装置が前記設定温度に達するまでの消費電力の情報を受け取り、記憶する第１の情報記憶手段と、前記第１の情報記憶手段に記憶された前記消費電力の情報を前記ホストコンピュータ装置に送信する情報送信手段とを備え、前記ホストコンピュータ装置は、前記制御装置に前記電気装置の制御命令を送信する命令送信手段と、前記制御装置から前記消費電力の情報を受信し、記憶する第２の情報記憶手段と、前記第２の情報記憶手段により記憶された前記消費電力の情報が所定の閾値に達すると前記電気装置のメンテナンスが必要とするメンテナンス時期検証手段とを備えることを特徴とする電気機器の監視制御システムとしたものである。
【００１５】
また本発明は、温度検出手段を備えた複数の電気装置と、これらの電気装置のそれぞれに接続された複数の制御装置と、これらの制御装置を管理するホストコンピュータ装置と、このホストコンピュータ装置と前記複数の制御装置との間を通信回線により接続して通信を可能にする通信網とを具備した電気機器の監視制御システムであって、前記制御装置は、前記ホストコンピュータ装置からの前記電気装置の制御命令を受信する受信手段と、この制御命令に基づいて前記電気装置の設定温度を変更する命令実行手段と、前記温度検出手段から受け取った前記電気装置が前記設定温度に達するまでの到達時間の情報を受け取り、記憶する第１の情報記憶手段と、前記第１の情報記憶手段に記憶された前記到達時間の情報を前記ホストコンピュータ装置に送信する情報送信手段とを備え、前記ホストコンピュータ装置は、前記制御装置に前記電気装置の制御命令を送信する命令送信手段と、前記制御装置から前記到達時間の情報を受信し、記憶する第２の情報記憶手段と、前記第２の情報記憶手段により記憶された前記到達時間の情報が所定の閾値に達すると前記電気装置のメンテナンスが必要とするメンテナンス時期検証手段とを備えることを特徴とする電気機器の監視制御システムとしたものである。
【００１６】
さらに、前記メンテナンス時期検証手段によってメンテナンスが必要とされ、前記電気装置のメンテナンスが行われた後、再度前記メンテナンス時期検証手段によってメンテナンスが必要とされるまでの期間が所定の閾値に達すると、前記電気装置の寿命とする寿命検証手段をさらに備えることを特徴とする電気機器の監視制御システムとしたものである。
【００１７】
また、前記電気装置が前記設定温度に達するまでの到達時間の情報が所定の閾値に達すると、前記電気装置の寿命とする寿命検証手段をさらに備えることを特徴とする電気機器の監視制御システムとしたものである。
【００１８】
さらに、前記メンテナンス時期検証手段によってメンテナンスが必要とされ、前記電気装置のメンテナンスが行われた後、再度前記メンテナンス時期検証手段によってメンテナンスが必要とされるまでの期間、または前記電気装置が前記設定温度に達するまでの到達時間の情報が所定の閾値に達すると、前記電気装置の寿命とする寿命検証手段をさらに備えることを特徴とする電気機器の監視制御システムとしたものである。
【００１９】
また、前記メンテナンス時期検証手段または寿命検証手段は、前記消費電力検出手段から受け取った１日の消費電力の変化情報と、前記温度検出手段から受け取った１日の温度変化の情報とに基づいて、前記消費電力及び温度の変化が最も少ない時間帯に検証を行うことを特徴とする電気機器の監視制御システムとしたものである。
【００２０】
さらに、前記メンテナンス時期検証手段または寿命検証手段は、前記メンテナンス時期検証手段または寿命検証手段は、前記電気装置の初期性能、温度調整空間の容量及び外部からの熱負荷の変動に基づいて検証することを特徴とする電気機器の監視制御システムとしたものである。
【００２１】
また本発明は、消費電力検出手段及び温度検出手段を備えた複数の電気装置と、これらの電気装置のそれぞれに接続された複数の制御装置と、これらの制御装置を管理するホストコンピュータ装置と、このホストコンピュータ装置と前記複数の制御装置との間を通信回線により接続して通信を可能にする通信網とを具備した電気機器の監視制御システムを用いた電気機器の監視制御方法であって、前記ホストコンピュータ装置が、前記制御装置に前記電気装置の制御命令を送信する命令送信ステップと、前記制御装置が、前記制御命令を受信する受信ステップ手段と、前記制御装置が、前記制御命令に基づいて前記電気装置の設定温度を変更する命令実行ステップと、前記制御装置が、前記消費電力検出手段から受け取った前記電気装置が前記設定温度に達するまでの消費電力の情報と、前記温度検出手段から受け取った前記電気装置が前記設定温度に達するまでの到達時間の情報とを記憶する第１の情報記憶ステップと、前記制御装置が、前記第１の情報記憶手段に記憶された前記消費電力及び到達時間の情報を前記ホストコンピュータ装置に送信する情報送信ステップと、前記ホストコンピュータ装置が、前記消費電力及び到達時間の情報を受信し、記憶する第２の情報記憶ステップと、前記ホストコンピュータ装置が、前記第２の情報記憶手段により記憶された前記消費電力または到達時間の情報が所定の閾値に達すると前記電気装置のメンテナンスが必要とするメンテナンス時期検証ステップとを備えることを特徴とする電気機器の監視制御方法としたものである。
【００２２】
また本発明は、建家に設けられた電気機器と、前記建家に設けられた前記電気機器を制御する制御装置と、この制御装置が保持する情報を通信網を介して共有する管理サーバとを備えた電気機器の監視制御システムを用いた電気機器の監視制御方法であって、前記管理サーバは、前記制御装置に前記電気機器の設定温度を変更する指示を送信し、前記温度検出手段で検出された温度変化の推移情報及び前記消費電力検出手段で検出された消費電力の変化の推移情報を受信し、受信したこれらの推移情報と、当該管理サーバで保持している予め設定された前記電気機器の温度及び消費電力の情報の期待値とを比較し、前記推移情報と前記期待値との相違度合いから前記電気機器の性能を判定することを特徴とする電気機器の監視制御方法としたものである。
【００２３】
即ち、管理サーバが受信した建家内で検出された温度変化の推移情報及び消費電力の変化の推移情報と、管理サーバで保持している予め設定された電気機器の温度及び消費電力の情報の期待値とが管理サーバによって比較され、前記推移情報と前記期待値との相違度合いから前記電気機器の性能が判定される。
【００２４】
従って、異なる建家内に設置された温度調整装置の状態を当該温度調整装置自身が検出し、この検出された情報をホストコンピュータ装置が設置されている管理センタ側で一括して管理することで、温度調整装置の巡回保守作業の作業量の負荷を軽減することができる。
【００２５】
さらに本発明は、建家に設けられた電気機器と、前記建家に設けられた前記電気機器を制御する制御装置と、この制御装置が保持する情報を通信網を介して共有する管理サーバとを備えた電気機器の監視制御システムを用いた電気機器の監視制御方法であって、前記管理サーバは、前記制御装置に前記電気機器の設定温度を変更する指示を送信し、前記温度検出手段で検出された温度変化の推移情報及び前記消費電力検出手段で検出された消費電力の変化の推移情報を受信し、受信したこれらの推移情報と前記メンテナンス情報とを比較し、前記電気機器の寿命を判定することを特徴とする電気機器の監視制御方法としたものである。
【００２６】
【発明の実施の形態】
（第１の実施形態）
図１は、本発明の第１の実施形態に係る電気機器の監視制御システムの構成を示す系統構成図である。
【００２７】
本実施形態の電気機器の監視制御システムは、例えば異なる建家２０に設置されている空調機等の温度調整装置が自身のメンテナンス等の情報を検出し、この検出した情報を集中管理センタ１０で一括管理するものである。
【００２８】
この電気機器の監視制御システムでは、各種の通信事業者が所有し管理する広域通信網１１によって、この広域通信網１１には、温度調節を行うための空調機等の温度調整装置２３が設置されている複数の建家２０と、これらの建家２０に設置されている温度調整装置２３の一括管理を行う集中管理センタ１０とが接続されている。
【００２９】
広域通信網１１としては、電話通信事業者が所有する電話網またはテレビ局等が所有するケーブルＴＶ網等が挙げられる。
【００３０】
建家２０は、少なくとも制御装置２１、電源供給装置２２、単数または複数の温度調整装置２３を有する。また前記集中管理センタ１０は記憶装置１０ａを有する。
【００３１】
図２は、温度調整装置２３の詳細構成例を示す機能ブロック図である。温度調整装置２３は、前記電源供給装置２２から電源の供給を受ける電源部３４と、建家２０の温度調整を行う温度調整部３３と、建家２０の温度調整場所の温度を検出し、前記制御装置２１に出力する温度検出手段３１と、当該温度調整装置２３の消費電力を検出し、検出した消費電力の情報を制御装置２１に出力する消費電力検出手段３２とを有する。また制御装置２１は、温度検出手段３１から出力された温度の情報及び消費電力の情報と、当該温度調整装置２３のメンテナンスやオーバーホール時に温度調整装置２３から出力される温度の情報及び消費電力の情報のそれぞれの期待値（予想される値）を記憶する記憶手段２１ａを有する。またこの期待値は、温度調整装置２３の初期性能、建家２０内の温度調整空間の容量及び温度調整装置２３の外部からの熱負荷の変動等様々な要因を考慮して算出してもよい。
【００３２】
次に、本実施形態に係る電気機器の監視制御方法を適用した電気機器の監視制御システムの動作について図３のシーケンス図を参照して説明する。
【００３３】
Ｓ１で、集中管理センタ１０は、温度変更の指示である制御命令を広域通信網１１を介して温度調整装置２３の制御装置２１に送信する。Ｓ２で、この制御命令を受信した温度調整装置２３の制御装置２１は、温度調整部３３に制御命令に基づいて所定の設定温度への変更の指示を出す。Ｓ３で、温度調整装置２３の制御装置２１は、Ｓ２で指示された温度変更が行われた後、この設定温度に達するまでの消費電力の情報を消費電力検出手段３２により出力する。また温度調整装置２３の制御装置２１は、設定温度に達するまでの到達時間の情報を温度検出手段３１により出力する。そして温度調整装置２３の制御装置２１は、これらの情報を記憶手段２１ａに記憶する一方、これらの情報及び記憶手段２１ａに保存されている期待値を広域通信網１１を介して集中管理センタ１０に送信する。
【００３４】
Ｓ４で、集中管理センタ１０は、Ｓ３において送信された情報を受信し、記憶装置１０ａに記憶する。Ｓ５で、集中管理センタ１０は、記憶装置１０ａに記憶された情報に基づいて、温度調整装置２３の性能を診断する。この温度調整装置２３の性能の診断方法の詳細については図４及び図５を参照して説明する。
【００３５】
図４は、温度調整装置２３が設定温度に達するまでに要する時間推移を継続的に示す概念例である。縦軸は、温度調整装置２３が設定された温度に達するまでに要する時間であり、横軸は経過する年月日である。
【００３６】
図４に示すように、一般に温度調整装置２３が使用され、年月日ｙが経過するに従い、設定温度に達するまでに要する時間τは徐々に長くなるため、グラフは右肩上がりの直線となる。例えば、温度調整装置２３が新設時の正常値τ０から最初にメンテナンスを行うまでの経過期間（メンテナンスの周期）をΔＴ１とすると、設定温度に達するまでに要する時間τは正常値τ０から徐々に長くなり、予め設定されているメンテナンスが必要な値の時間τ１に達するとメンテナンスを実施する。このメンテナンスにより、設定温度に達するまでに要する時間τは、新設時（またはオーバーホール時）の初期値τ０近くまで下がる。このとき、設定温度に達するまで時間の初期値τ０とメンテナンス後の設定温度に達するまで時間値τ２との差（τ２−τ０）をΔｔ１とし、メンテナンスを行った年月日ｙをメンテナンス時期ｙ１とする。そして温度調整装置２３を継続的に使用することにより、メンテナンスが必要な時間値τ１に達すると２回目のメンテナンスが行われる。２回目のメンテナンス周期はΔＴ２であり、初期値τ０との差（τ３−τ０）はΔｔ２となる。
【００３７】
このような継続使用により、メンテナンス周期ΔＴｎは、次のように変化する。
【００３８】
ΔＴ１＞ΔＴ２＞ΔＴ３＞ΔＴ４＞ΔＴ５
また、メンテナンス周期ΔＴｎの変化に従って、Δｔｎは、次のように変化する。
【００３９】
Δｔ１＜Δｔ２＜Δｔ３＜Δｔ４
以上のようなメンテナンス周期ΔＴｎ及びΔｔｎ両者の推移から、例えばメンテナンス周期ΔＴｎが予め設定してある所定の値以下、またはΔｔｎが予め設定してある所定の値以上になると、集中管理センタ１０は温度調整装置２３の交換やオーバーホールが必要であると判定する（寿命検証手段）。なお、実際に寿命と判定される値である寿命判定時期は、温度調整装置２３の個体差や用途によって異なるため、必要に応じてそれぞれの温度調整装置２３に対して個別に決定する必要がある。
【００４０】
また、図５は、温度調整装置２３が設定温度に達するまでに要する消費電力の推移を継続的に示す概念例である。縦軸は、温度調整装置２３が設定された温度に達するまでに要する消費電力であり、横軸は経過する年月日である。
【００４１】
図５に示すように、一般に温度調整装置２３が使用され、年月日ｙが経過するに従い、設定温度に達するまでに要する消費電力ｓは徐々に長くなるため、グラフは右肩上がりの直線となる。例えば、温度調整装置２３が新設時の正常値ｓ０から最初にメンテナンスを行うまでの経過期間（メンテナンスの周期）をΔＴ１とすると、設定温度に達するまでに要する消費電力ｓは正常値ｓ０から徐々に長くなり、予め設定されているメンテナンスが必要な値の消費電力ｓ１に達するとメンテナンスを実施する。このメンテナンスにより、設定温度に達するまでに要する消費電力ｓは、新設時（またはオーバーホール時）の初期値ｓ０近くまで下がる。このとき、設定温度に達するまで時間の初期値ｓ０とメンテナンス後の設定温度に達するまで時間値ｓ２との差（ｓ２−ｓ０）をΔＷ１とし、メンテナンスを行った年月日ｙをメンテナンス時期ｙ１とする。そして温度調整装置２３を継続的に使用することにより、メンテナンスが必要な消費電力値ｓ１に達すると２回目のメンテナンスが行われる。２回目のメンテナンス周期はΔＴ２であり、初期値ｓ０との差（ｓ３−ｓ０）はΔＷ２となる。
【００４２】
このような継続使用により、メンテナンス周期ΔＴｎは、次のように変化する。
【００４３】
ΔＴ１＞ΔＴ２＞ΔＴ３＞ΔＴ４＞ΔＴ５
また、メンテナンス周期ΔＴｎの変化に従って、ΔＷｎは、次のように変化する。
【００４４】
ΔＷ１＜ΔＷ２＜ΔＷ３＜ΔＷ４
以上のようなメンテナンス周期ΔＴｎ及びΔＷｎ両者の推移から、例えばメンテナンス周期ΔＴｎが予め設定してある所定の値以下、またはΔＷｎが予め設定してある所定の値以上になると、集中管理センタ１０は温度調整装置２３の交換やオーバーホールが必要であると判定する（寿命検証手段）。なお図４の場合と同様に、実際に寿命と判定される値である寿命判定時期は、温度調整装置２３の個体差や用途によって異なるため、必要に応じてそれぞれの温度調整装置２３に対して個別に決定する必要がある。
【００４５】
また、上述した図４及び図５から得られる情報を考慮して、総合的に温度調整装置２３の交換やオーバーホールが必要であると判定してもよい。例えば、ΔＴｎ、Δｔｎ、ΔＷｎのいずれかが予め設定した閾値に達したとき、またはΔＴｎ、Δｔｎ、ΔＷｎのすべてが予め設定した閾値に達したとき、等である。
【００４６】
従って、本実施形態によれば、異なる建家２０内に設置された温度調整装置２３の状態を当該温度調整装置２３自身が検出し、この検出された情報を集中管理センタ１０側で一括して管理することで、異なる建家２０内に設置された温度調整装置２３の巡回保守作業の作業量を軽減することができる。
【００４７】
（第２の実施形態）
本発明の第２の実施形態に係る電気機器の監視制御方法を適用した電気機器の監視制御システムは、第１の実施形態によってなされる温度調整装置２３の性能及び寿命の検証を当該性能及び寿命に影響を及ぼす様々な要因が少ない時間帯に行うものである。従って、本実施形態に係る電気機器の監視制御システムは、この構成を第１の実施形態に係る電気機器の監視制御システムと同一とし、ここでは異なる部分についてのみ説明する。
【００４８】
温度調整装置２３が設置されている建家２０である事務所や店舗では、温度調整装置２３が例えば空調機である場合には、居住者の出入りに伴うドアの開閉、居住者の人数、ＯＡ機器の稼働に伴う発熱等による熱負荷の変動により、温度調整装置２３の正しい性能及び寿命の検証（評価）が出来ない場合や困難な場合が考えられる。また同様に、温度調整装置２３が店舗等の低温ショーケースである場合には、顧客等による扉の開閉、商品の収納数、収納状態等によって同様に温度調整装置２３の正しい性能及び寿命の評価が出来ない場合や困難な場合が考えられる。
【００４９】
そこで、一般に事務所であれば、居住者の出入りが少なく、ＯＡ機器の稼働も少ない深夜等の時間帯であれば、温度調整装置２３の性能及び寿命の検証に影響を及ぼす様々な要因が少ない。また２４時間営業の店舗であっても、日中に比べ顧客の出入りは少なく、影響を及ぼす様々な要因が少ない。従って、これらの時間帯に検証を行うことにより、さらに正しい検証結果を得ることができる。具体的には、影響を及ぼす要因の少ない時間帯の特定は、消費電力検出手段３２から受け取った１日の消費電力の変化情報と、温度検出手段３１から受け取った１日の温度変化の情報とに基づいて、消費電力及び温度の変化が最も少ない時間帯を特定する。また、要因が大きいと考えられる特定日や特定曜日の検証を行う日から除外することにより、さらに精度の高い検証結果を得ることができる。
【００５０】
従って、以上のような実施形態によれば、温度調整装置２３の性能及び寿命の検証（評価）に影響を及ぼす要因が少ない時間帯に当該検証を行うことにより、より正しい検証結果を得ることが可能となる。
【００５１】
（第３の実施形態）
本発明の第３の実施形態に係る電気機器の監視制御方法を適用した電気機器の監視制御システムは、期待値を予め採取されたデータから設定せずに、データを採取することなく、予想して算出するものである。
【００５２】
本実施形態で用いる期待値を算出するために用いるデータは、温度調整装置２３の初期性能、建家内の温度調整空間の容量及び温度調整装置２３の外部からの熱負荷の変動等のデータである。これらのデータは、期待値を設定するために新たに採取必要なデータではなく、集中管理センタ１０側に予め保持しているデータであり、これらの様々なデータを用いることによって、期待値を算出する。
【００５３】
従って、本実施形態によれば、温度調整装置２３の性能及び寿命の検証のために用いる期待値を求めるために、新たにデータを採取することがなく、効率よく温度調整装置２３の性能及び寿命の検証を行うことができる。
【００５４】
【発明の効果】
以上詳述したようにこの発明では、温度調整装置の状態を当該温度調整装置自身が検出し、この検出された情報を管理センタ側で一括して管理して、温度調整装置の性能及び寿命を検証する。
【００５５】
したがってこの発明によれば、異なる建家内に設置された温度調整装置の巡回保守作業の作業量を軽減することができる。
【図面の簡単な説明】
【図１】本発明の第１の実施形態に係る電気機器の監視制御システムを示す系統構成図である。
【図２】本発明の第１の実施形態に係る温度調整装置とこの温度調整装置に接続された電源供給装置及び制御装置の機能ブロック図である。
【図３】本発明の第１の実施形態に係る電気機器の監視制御システムの動作及び電気装置制御監視方法を示すシーケンス図である。
【図４】温度調整装置が設定温度に達するまでに要する時間推移を継続的に表した概念図である。
【図５】温度調整装置が設定温度に達するまでに要する消費電力量の推移を継続的に表した概念図である。
【符号の説明】
１０…集中管理センタ
１０ａ…記憶装置
１１…広域通信網
２０…建家
２１…制御装置
２１ａ…記憶手段
２２…電源供給装置
２３…温度調整装置
３１…温度検出手段
３２…消費電力検出手段
３３…温度調整部
３４…電源部
１０７…正常値
１０８…閾値
１０９…メンテナンス時期
１１０…寿命判定時期
【図１】
2004192252.tif 000003
【図２】
2004192252.tif 000004
【図３】
2004192252.tif 000005
【図４】
2004192252.tif 000006
【図５】
2004192252.tif 000007